(57)【要約】【課題】ＩＰネットワークを介してコンテンツをより適正に親展受信して保存する。【解決手段】コンテンツ通信システム１０では、サーバー・クライアントモデルにおけるサーバーとしてコンテンツ端末２０が機能し、クライアントとして受信側端末３０が機能するものとして、コンテンツリストの送受信を行い、コンテンツリストに含まれるコンテンツの送受信では、倒置情報を送信し、サーバー・クライアントモデルにおけるそれまで機能していた端末を交換する。こうして、受信側主導のデータ送受信を実行する。また、利用者により親展送信が選択されたときには、登録ＩＤ３８ａが記憶されているメモリーカード３８がスロット３７ａに装着されていることを条件として、ポスティング・サーバー２０へ登録ＩＤを送信してこの登録ＩＤを照合し、このメモリーカード３８へコンテンツを保存する。【選択図】図１
2010245617.tif 000002
【特許請求の範囲】
【請求項１】
利用者の情報と利用者の識別情報とを対応付けた利用者管理情報を記憶し該利用者が利用するコンテンツを送信するコンテンツ端末とＩＰネットワークを介して接続され該コンテンツ端末からコンテンツを受信する受信側端末であって、
携帯用の記憶媒体を装着・装着解除可能な装着手段と、
情報を記憶する情報記憶手段と、
前記コンテンツを送受信するための通信識別情報を含む接続要求メッセージの送受信に基づいて前記ＩＰネットワークを介して前記コンテンツ端末と接続の確立を行う受信側接続確立実行手段と、
前記通信識別情報を含む接続要求メッセージの受信に基づいて前記コンテンツ端末との接続が確立したときにはサーバー・クライアントモデルにおけるクライアントとして機能して前記コンテンツ端末への前記コンテンツのリストの送信の要求を伴って前記コンテンツ端末から前記コンテンツのリストを受信し前記情報記憶手段へ記憶するリスト受信手段と、
前記通信識別情報を含む接続要求メッセージの送信に基づいて前記コンテンツ端末との接続が確立したときにはサーバー・クライアントモデルにおけるサーバーとして機能して前記コンテンツ端末からの前記所定の情報要求に対して前記所定の倒置情報を含む応答を行うと共に該所定の倒置情報を含む応答を行ったときからサーバー・クライアントモデルにおけるクライアントとして機能して前記コンテンツのリストに含まれるコンテンツの前記コンテンツ端末への送信の要求を伴って前記コンテンツ端末から前記コンテンツを受信し、前記利用者に対応付けられた利用者識別情報が記憶された記憶媒体が前記装着手段に装着されており前記利用者により前記リストに含まれるコンテンツの親展送信が選択されたときには前記所定の倒置情報と該利用者の識別情報と該リストに含まれるコンテンツの親展送信要求とを同時又は別々に前記コンテンツ端末へ送信し該所定の倒置情報を含む応答を行ったときからサーバー・クライアントモデルにおけるクライアントとして機能し前記親展送信要求対象のコンテンツを前記コンテンツ端末から受信したときには該受信したコンテンツを前記装着されている記憶媒体へ記憶するコンテンツ受信記憶制御手段と、
を備えた受信側端末。
【請求項２】
前記コンテンツ端末は前記利用者の情報と利用者の識別情報と更にパスワードとを対応付けた利用者管理情報を記憶しており、
前記コンテンツ受信記憶制御手段は、前記利用者により入力されたパスワードの送信に伴って前記コンテンツ端末から前記親展送信要求対象のコンテンツを受信する、請求項１に記載の受信側端末。
【請求項３】
前記コンテンツ受信記憶制御手段は、前記所定の倒置情報を前記コンテンツ端末へ送信するに際して、前記利用者識別情報を該所定の倒置情報として前記コンテンツ端末へ送信する、請求項２又は３に記載の受信側端末。
【請求項４】
請求項１〜３のいずれか１項に記載の受信側端末であって、
画像を表示可能な表示手段、を備え、
前記コンテンツ受信記憶制御手段は、前記装着手段へ前記利用者識別情報が記憶された記憶媒体が装着されたときには、前記情報記憶手段に記憶されたリストのうち、該記憶媒体に記憶されている利用者識別情報に対応するリストを検索し、該検索したリストを前記表示手段へ表示させる、受信側端末。
【請求項５】
請求項１〜４のいずれか１項に記載の受信側端末であって、
画像を印刷媒体へ印刷する印刷実行手段、を備え、
前記リスト受信手段は、前記コンテンツのリストとしてコンテンツのリストを受信し、
前記コンテンツ受信記憶制御手段は、前記親展送信要求対象のコンテンツとしてコンテンツを受信する、受信側端末。
【請求項６】
受信側端末とＩＰネットワークを介して利用者が利用するコンテンツを送信するコンテンツ端末であって、
利用者の情報と利用者の識別情報とを対応付けた利用者管理情報を格納した管理情報記憶手段と、
前記コンテンツを送受信するための通信識別情報を含む接続要求メッセージの送受信に基づいて前記ＩＰネットワークを介して前記受信側端末と接続の確立を行うコンテンツ側接続確立実行手段と、
前記通信識別情報を含む接続要求メッセージの送信に基づいて前記受信側端末との接続が確立したときにはサーバー・クライアントモデルにおけるサーバーとして機能して前記受信側端末からの要求に応じて前記コンテンツのリストを前記受信側端末に送信するリスト送信手段と、
前記通信識別情報を含む接続要求メッセージの受信に基づいて前記受信側端末との接続が確立したときにはサーバー・クライアントモデルにおけるクライアントとして機能して前記受信側端末に所定の情報要求を行う一方で、該所定の情報要求に対する前記受信側端末からの応答に所定の倒置情報が含まれているときには該所定の倒置情報を認識したときからサーバー・クライアントモデルにおけるサーバーとして機能して前記受信側端末からの要求に応じて前記受信端末との通信を行い、前記受信側端末から前記所定の倒置情報と前記利用者の識別情報と前記リストに含まれるコンテンツの親展送信要求とを同時又は別々に受信すると該受信した利用者の識別情報と前記利用者管理情報に含まれている利用者の識別情報とを照合し、該利用者の識別情報が照合されたときには、サーバー・クライアントモデルにおけるクライアントとして機能して前記親展送信要求の対象であるコンテンツを前記受信側端末に送信するコンテンツ送信手段と、
を備えたコンテンツ端末。
【請求項７】
前記管理情報記憶手段は、前記利用者の情報と利用者の識別情報と更にパスワードとを対応付けた利用者管理情報を格納しており、
前記コンテンツ送信手段は、前記利用者の識別情報と前記パスワードとが照合されたときには、前記親展送信要求の対象であるコンテンツを前記受信側端末に送信する、請求項６に記載のコンテンツ端末。
【請求項８】
ＩＰネットワークを介して接続されるコンテンツ通信システムであって、
請求項１〜５のいずれか１項に記載の受信側端末と、
請求項６又は７に記載のコンテンツ端末と、
を備えたコンテンツ通信システム。
【請求項９】
前記ＩＰネットワークは、次世代ネットワーク（ＮＧＮ（Ｎｅｘｔ  Ｇｅｎｅｒａｔｉｏｎ  Ｎｅｔｗｏｒｋ））であり、
前記コンテンツ端末と前記受信側端末との接続の確立は、セッション確立プロトコル（ＳＩＰ（Ｓｅｓｓｉｏｎ  Ｉｎｉｔｉａｔｉｏｎ  Ｐｒｏｔｏｃｏｌ））により行われる、請求項８に記載のコンテンツ通信システム。
【請求項１０】
利用者の情報と利用者の識別情報とを対応付けた利用者管理情報を記憶し該利用者が利用するコンテンツを送信するコンテンツ端末とＩＰネットワークを介して接続され、携帯用の記憶媒体を装着・装着解除可能な装着手段と、情報を記憶する情報記憶手段と、を備え、該コンテンツ端末からコンテンツを受信する受信側端末を利用したコンテンツ受信方法であって、
（ａ）前記コンテンツを送受信するための通信識別情報を含む接続要求メッセージの送受信に基づいて前記ＩＰネットワークを介して前記コンテンツ端末と接続の確立を行うステップと、
（ｂ）前記ステップ（ａ）により前記通信識別情報を含む接続要求メッセージの受信に基づいて前記コンテンツ端末との接続が確立したときにはサーバー・クライアントモデルにおけるクライアントとして機能して前記コンテンツ端末への前記コンテンツのリストの送信の要求を伴って前記コンテンツ端末から前記コンテンツのリストを受信し前記情報記憶手段へ記憶するステップと、
（ｃ）前記ステップ（ａ）により前記通信識別情報を含む接続要求メッセージの送信に基づいて前記コンテンツ端末との接続が確立したときにはサーバー・クライアントモデルにおけるサーバーとして機能して前記コンテンツ端末からの前記所定の情報要求に対して前記所定の倒置情報を含む応答を行うと共に該所定の倒置情報を含む応答を行ったときからサーバー・クライアントモデルにおけるクライアントとして機能して前記コンテンツのリストに含まれるコンテンツの前記コンテンツ端末への送信の要求を伴って前記コンテンツ端末から前記コンテンツを受信し、前記利用者に対応付けられた利用者識別情報が記憶された記憶媒体が前記装着手段に装着されており前記利用者により前記リストに含まれるコンテンツの親展送信が選択されたときには前記所定の倒置情報と該利用者の識別情報と該リストに含まれるコンテンツの親展送信要求とを同時又は別々に前記コンテンツ端末へ送信し該所定の倒置情報を含む応答を行ったときからサーバー・クライアントモデルにおけるクライアントとして機能し前記親展送信要求対象のコンテンツを前記コンテンツ端末から受信したときには該受信したコンテンツを前記装着されている記憶媒体へ記憶するステップと、
を含むコンテンツ受信方法。
【請求項１１】
利用者の情報と利用者の識別情報とを対応付けた利用者管理情報を格納した管理情報記憶手段、を備え、受信側端末とＩＰネットワークを介して利用者が利用するコンテンツを送信するコンテンツ端末を利用したコンテンツ送信方法であって、
（ｄ）前記コンテンツを送受信するための通信識別情報を含む接続要求メッセージの送受信に基づいて前記ＩＰネットワークを介して前記受信側端末と接続の確立を行うステップと、
（ｅ）前記ステップ（ｄ）により前記通信識別情報を含む接続要求メッセージの送信に基づいて前記受信側端末との接続が確立したときにはサーバー・クライアントモデルにおけるサーバーとして機能して前記受信側端末からの要求に応じて前記コンテンツのリストを前記受信側端末に送信するステップと、
（ｆ）前記ステップ（ｄ）により前記通信識別情報を含む接続要求メッセージの受信に基づいて前記受信側端末との接続が確立したときにはサーバー・クライアントモデルにおけるクライアントとして機能して前記受信側端末に所定の情報要求を行う一方で、該所定の情報要求に対する前記受信側端末からの応答に所定の倒置情報が含まれているときには該所定の倒置情報を認識したときからサーバー・クライアントモデルにおけるサーバーとして機能して前記受信側端末からの要求に応じて前記受信端末との通信を行い、前記受信側端末から前記所定の倒置情報と前記利用者の識別情報と前記リストに含まれるコンテンツの親展送信要求とを同時又は別々に受信すると該受信した利用者の識別情報と前記利用者管理情報に含まれている利用者の識別情報とを照合し、該利用者の識別情報が照合されたときには、サーバー・クライアントモデルにおけるクライアントとして機能して前記親展送信要求の対象であるコンテンツを前記受信側端末に送信するステップと、
を含むコンテンツ送信方法。
【発明の詳細な説明】
【技術分野】
【０００１】
本発明は、受信側端末、コンテンツ端末、コンテンツ通信システム、コンテンツ受信方法及びコンテンツ送信方法に関する。
【背景技術】
【０００２】
従来、この種の受信側端末としては、電話回線やインターネットなどの通信ネットワークを介して印刷データを受信して印刷するＦＡＸやプリンターが接続されたパーソナルコンピューターなどが知られている。電話回線を介して印刷データを受信するＦＡＸでは、コールに対してＦＡＸである信号をもって応答し、印刷データを受信する毎に印刷したり印刷データをメモリーに記憶してから印刷する。インターネットを介して印刷データを受信するパーソナルコンピューターでは、印刷データをハードディスクなどの外部記憶装置に記憶し、その後、印刷用のアプリケーションを起動して外部記憶装置に記憶した印刷データを読み出して印刷する。なお、ネットワークを利用した情報の伝送に関する技術としては、下記の特許文献に記載されたものが知られている。
【先行技術文献】
【特許文献】
【０００３】
【特許文献１】特開２００５−１０９７０１号公報
【特許文献２】特開２００３−１７８０２８号公報
【特許文献３】特表２００５−５１６３２０号公報
【発明の概要】
【発明が解決しようとする課題】
【０００４】
近年、従来の電話網がもつ信頼性・安定性を確保しながら、ＩＰ（Internet Protocol）ネットワークの柔軟性と経済性とを備えた次世代の情報通信ネットワークとして次世代ネットワーク（NGN （Next Generation Network））が提案されている。この次世代ネットワークでは、アプリケーション層で２つ以上の相手に対して音声や映像，テキストメッセージの交換などを行うために必要なセッションの生成・変更・切断を行うプロトコルとしてセッション確立プロトコル（SIP（Session Initiation Protocol））が用いられる。このＳＩＰを用いた装置間のセッションの確立では、セッションの確立を要求するオファー側の端末からセッションの確立が要求されるアンサー側の端末のネットワーク上の場所を指し示すＵＲＩ（Uniform Resource Identifier）を含むＩＮＶＩＴＥメッセージを送信し、このＩＮＶＩＴＥメッセージに対してアンサー側の端末からオファー側に対してセッションの確立を了解する状態コードとしての「２００  ＯＫ」を送信することにより、セッションが確立される。こうしたセッション確立後の端末間のデータ伝送は、オファー側の端末から一方的に行われるＰＵＳＨ型で行われるのが通例であるが、アンサー側の端末の性能によっては適正にデータ伝送を行うことができない場合を生じる。また、コンテンツが複数ある場合には、コンテンツのリストだけ取得し、その後、所望のコンテンツだけを親展受信して保存し、印刷したいときもある。
【０００５】
本発明は、このような課題に鑑みなされたものであり、ＩＰネットワークを介してコンテンツをより適正に親展受信して保存することができる受信側端末、コンテンツ端末、コンテンツ通信システム、コンテンツ受信方法及びコンテンツ送信方法を提供することを主目的とする。
【課題を解決するための手段】
【０００６】
本発明は、上述の主目的を達成するために以下の手段を採った。
【０００７】
本発明の受信側端末は、
利用者の情報と利用者の識別情報とを対応付けた利用者管理情報を記憶し該利用者が利用するコンテンツを送信するコンテンツ端末とＩＰネットワークを介して接続され該コンテンツ端末からコンテンツを受信する受信側端末であって、
携帯用の記憶媒体を装着・装着解除可能な装着手段と、
情報を記憶する情報記憶手段と、
前記コンテンツを送受信するための通信識別情報を含む接続要求メッセージの送受信に基づいて前記ＩＰネットワークを介して前記コンテンツ端末と接続の確立を行う受信側接続確立実行手段と、
前記通信識別情報を含む接続要求メッセージの受信に基づいて前記コンテンツ端末との接続が確立したときにはサーバー・クライアントモデルにおけるクライアントとして機能して前記コンテンツ端末への前記コンテンツのリストの送信の要求を伴って前記コンテンツ端末から前記コンテンツのリストを受信し前記情報記憶手段へ記憶するリスト受信手段と、
前記通信識別情報を含む接続要求メッセージの送信に基づいて前記コンテンツ端末との接続が確立したときにはサーバー・クライアントモデルにおけるサーバーとして機能して前記コンテンツ端末からの前記所定の情報要求に対して前記所定の倒置情報を含む応答を行うと共に該所定の倒置情報を含む応答を行ったときからサーバー・クライアントモデルにおけるクライアントとして機能して前記コンテンツのリストに含まれるコンテンツの前記コンテンツ端末への送信の要求を伴って前記コンテンツ端末から前記コンテンツを受信し、前記利用者に対応付けられた利用者識別情報が記憶された記憶媒体が前記装着手段に装着されており前記利用者により前記リストに含まれるコンテンツの親展送信が選択されたときには前記所定の倒置情報と該利用者の識別情報と該リストに含まれるコンテンツの親展送信要求とを同時又は別々に前記コンテンツ端末へ送信し該所定の倒置情報を含む応答を行ったときからサーバー・クライアントモデルにおけるクライアントとして機能し前記親展送信要求対象のコンテンツを前記コンテンツ端末から受信したときには該受信したコンテンツを前記装着されている記憶媒体へ記憶するコンテンツ受信記憶制御手段と、
を備えたものである。
【０００８】
この受信側端末では、コンテンツを送受信するための通信識別情報を含む接続要求メッセージの送受信に基づいてＩＰネットワークを介してコンテンツ端末と接続の確立を行う。このとき、通信識別情報を含む接続要求メッセージの受信に基づいてコンテンツ端末との接続が確立したときにはサーバー・クライアントモデルにおけるクライアントとして機能してコンテンツ端末へのコンテンツのリストの送信の要求を伴ってコンテンツ端末からコンテンツのリストを受信して記憶する。また、通信識別情報を含む接続要求メッセージの送信に基づいてコンテンツ端末との接続が確立したときにはサーバー・クライアントモデルにおけるサーバーとして機能してコンテンツ端末からの所定の情報要求に対して所定の倒置情報を含む応答を行う。また、この所定の倒置情報を含む応答を行ったときからサーバー・クライアントモデルにおけるクライアントとして機能してコンテンツのリストに含まれるコンテンツのコンテンツ端末への送信の要求を伴ってコンテンツ端末からコンテンツを受信する。そして、利用者に対応付けられた利用者識別情報が記憶された記憶媒体が装着されており、利用者によりリストに含まれるコンテンツの親展送信が選択されたときには、所定の倒置情報とこの利用者の識別情報とこのリストに含まれるコンテンツの親展送信要求とを同時又は別々にコンテンツ端末へ送信し、この所定の倒置情報を含む応答を行ったときからサーバー・クライアントモデルにおけるクライアントとして機能し親展送信要求対象のコンテンツをコンテンツ端末から受信したときにはこの受信したコンテンツを、装着されている記憶媒体へ記憶する。このように、コンテンツのリストを受信するときには、コンテンツ端末をサーバー・クライアントモデルにおけるサーバーとして機能させると共に受信側端末をサーバー・クライアントモデルにおけるクライアントとして機能させること、即ち、受信側端末主導によるコンテンツのリストの送受信を行うことにより、受信側端末の性能に応じてコンテンツのリストの送受信を行うことができる。また、コンテンツを送受信するときには、コンテンツ端末をサーバー・クライアントモデルにおけるクライアントとして機能させると共に受信側端末をサーバー・クライアントモデルにおけるサーバーとして機能させてコンテンツ端末に所定の情報要求を行わせ、この所定の情報要求に対して受信側端末からコンテンツ端末に所定の倒置情報を含む応答を行うことにより、コンテンツ端末をサーバー・クライアントモデルにおけるサーバーとして機能させると共に受信側端末をサーバー・クライアントモデルにおけるクライアントとして機能させて受信側端末主導によるコンテンツのリストに含まれるコンテンツの送受信を行うことができる。このとき、利用者により親展送信が選択されたときには、利用者識別情報が記憶されている記憶媒体が装着されていることを条件として、コンテンツ端末へ利用者識別情報を送信してコンテンツ端末で利用者識別情報を照合可能とし、コンテンツを受信したときには、利用者の所持する記憶媒体へコンテンツを記憶するのである。したがって、ＩＰネットワークを介してコンテンツをより適正に親展受信して保存することができる。
【０００９】
本発明の受信側端末において、前記コンテンツ端末は前記利用者の情報と利用者の識別情報と更にパスワードとを対応付けた利用者管理情報を記憶しており、前記コンテンツ受信記憶制御手段は、前記利用者により入力されたパスワードの送信に伴って前記コンテンツ端末から前記親展送信要求対象のコンテンツを受信するものとしてもよい。こうすれば、パスワードの照合を利用して親展性をより高めることができる。
【００１０】
本発明の受信側端末において、前記コンテンツ受信記憶制御手段は、前記所定の倒置情報を前記コンテンツ端末へ送信するに際して、前記利用者識別情報を該所定の倒置情報として前記コンテンツ端末へ送信するものとしてもよい。こうすれば、利用者識別情報が倒置情報を兼ねるから、処理をより簡素化することができる。
【００１１】
本発明の受信側端末は、画像を表示可能な表示手段、を備え、前記コンテンツ受信記憶制御手段は、前記装着手段へ前記利用者識別情報が記憶された記憶媒体が装着されたときには、前記情報記憶手段に記憶されたリストのうち、該記憶媒体に記憶されている利用者識別情報に対応するリストを検索し、該検索したリストを前記表示手段へ表示させるものとしてもよい。こうすれば、リストの選択がより容易となるため、親展によるコンテンツ取得を行いやすい。
【００１２】
本発明の受信側端末は、画像を印刷媒体へ印刷する印刷実行手段、を備え、前記リスト受信手段は、前記コンテンツのリストとしてコンテンツのリストを受信し、前記コンテンツ受信記憶制御手段は、前記親展送信要求対象のコンテンツとしてコンテンツを受信するものとしてもよい。コンテンツは、親展で受けとる要望が高いため、本発明を適用する意義が高い。
【００１３】
本発明のコンテンツ端末は、
受信側端末とＩＰネットワークを介して利用者が利用するコンテンツを送信するコンテンツ端末であって、
利用者の情報と利用者の識別情報とを対応付けた利用者管理情報を格納した管理情報記憶手段と、
前記コンテンツを送受信するための通信識別情報を含む接続要求メッセージの送受信に基づいて前記ＩＰネットワークを介して前記受信側端末と接続の確立を行うコンテンツ側接続確立実行手段と、
前記通信識別情報を含む接続要求メッセージの送信に基づいて前記受信側端末との接続が確立したときにはサーバー・クライアントモデルにおけるサーバーとして機能して前記受信側端末からの要求に応じて前記コンテンツのリストを前記受信側端末に送信するリスト送信手段と、
前記通信識別情報を含む接続要求メッセージの受信に基づいて前記受信側端末との接続が確立したときにはサーバー・クライアントモデルにおけるクライアントとして機能して前記受信側端末に所定の情報要求を行う一方で、該所定の情報要求に対する前記受信側端末からの応答に所定の倒置情報が含まれているときには該所定の倒置情報を認識したときからサーバー・クライアントモデルにおけるサーバーとして機能して前記受信側端末からの要求に応じて前記受信端末との通信を行い、前記受信側端末から前記所定の倒置情報と前記利用者の識別情報と前記リストに含まれるコンテンツの親展送信要求とを同時又は別々に受信すると該受信した利用者の識別情報と前記利用者管理情報に含まれている利用者の識別情報とを照合し、該利用者の識別情報が照合されたときには、サーバー・クライアントモデルにおけるクライアントとして機能して前記親展送信要求の対象であるコンテンツを前記受信側端末に送信するコンテンツ送信手段と、
を備えたものである。
【００１４】
このコンテンツ端末では、コンテンツを送受信するための通信識別情報を含む接続要求メッセージの送受信に基づいてＩＰネットワークを介して受信側端末と接続の確立を行う。このとき、通信識別情報を含む接続要求メッセージの送信に基づいて受信側端末との接続が確立したときにはサーバー・クライアントモデルにおけるサーバーとして機能して受信側端末からの要求に応じてコンテンツのリストを受信側端末に送信する。また、通信識別情報を含む接続要求メッセージの受信に基づいて受信側端末との接続が確立したときには、サーバー・クライアントモデルにおけるクライアントとして機能して受信側端末に所定の情報要求を行う一方で、この所定の情報要求に対する受信側端末からの応答に所定の倒置情報が含まれているときには、この所定の倒置情報を認識したときからサーバー・クライアントモデルにおけるサーバーとして機能して受信側端末からの要求に応じて受信端末との通信を行う。そして、受信側端末から所定の倒置情報と利用者の識別情報とリストに含まれるコンテンツの親展送信要求とを同時又は別々に受信すると、この受信した利用者の識別情報と利用者管理情報に含まれている利用者の識別情報とを照合し、この利用者の識別情報が照合されたときには、サーバー・クライアントモデルにおけるクライアントとして機能して親展送信要求の対象であるコンテンツを受信側端末に送信する。このように、コンテンツのリストを送信するときには、コンテンツ端末をサーバー・クライアントモデルにおけるサーバーとして機能させると共に受信側端末をサーバー・クライアントモデルにおけるクライアントとして機能させること、即ち、受信側端末主導によるコンテンツのリストの送受信を行うことにより、受信側端末の性能に応じてコンテンツのリストの送受信を行うことができる。また、コンテンツを送受信するときには、コンテンツ端末をサーバー・クライアントモデルにおけるクライアントとして機能させると共に受信側端末をサーバー・クライアントモデルにおけるサーバーとして機能させてコンテンツ端末に所定の情報要求を行わせ、この所定の情報要求に対して受信側端末からコンテンツ端末に所定の倒置情報を含む応答を行うことにより、コンテンツ端末をサーバー・クライアントモデルにおけるサーバーとして機能させると共に受信側端末をサーバー・クライアントモデルにおけるクライアントとして機能させて受信側端末主導によるコンテンツのリストに含まれるコンテンツの親展送信を行うことができる。したがって、受信側端末では、ＩＰネットワークを介してコンテンツをより適正に親展受信して保存することができる。
【００１５】
本発明のコンテンツ端末において、前記管理情報記憶手段は、前記利用者の情報と利用者の識別情報と更にパスワードとを対応付けた利用者管理情報を格納しており、前記コンテンツ送信手段は、前記利用者の識別情報と前記パスワードとが照合されたときには、前記親展送信要求の対象であるコンテンツを前記受信側端末に送信するものとしてもよい。こうすれば、パスワードの照合を利用して親展性をより高めることができる。
【００１６】
本発明のコンテンツ通信システムは、ＩＰネットワークを介して接続されるコンテンツ通信システムであって、上述したいずれか１つに記載の受信側端末と、上述したいずれか１つに記載のコンテンツ端末と、を備えたものである。本発明の受信側端末及びコンテンツ端末は、ＩＰネットワークを介してコンテンツをより適正に親展受信して保存することができるものであるから、このコンテンツ通信システムにおいても同様の効果を得ることができる。なお、このコンテンツ通信システムにおいて、上述した受信側端末やコンテンツ端末の種々の態様を採用してもよい。
【００１７】
本発明のコンテンツ通信システムにおいて、前記ＩＰネットワークは、次世代ネットワーク（ＮＧＮ（Ｎｅｘｔ  Ｇｅｎｅｒａｔｉｏｎ  Ｎｅｔｗｏｒｋ））であり、前記コンテンツ端末と前記受信側端末との接続の確立は、セッション確立プロトコル（ＳＩＰ（Ｓｅｓｓｉｏｎ  Ｉｎｉｔｉａｔｉｏｎ  Ｐｒｏｔｏｃｏｌ））により行われるものとしてもよい。
【００１８】
本発明のコンテンツ受信方法は、
利用者の情報と利用者の識別情報とを対応付けた利用者管理情報を記憶し該利用者が利用するコンテンツを送信するコンテンツ端末とＩＰネットワークを介して接続され、携帯用の記憶媒体を装着・装着解除可能な装着手段と、情報を記憶する情報記憶手段と、を備え、該コンテンツ端末からコンテンツを受信する受信側端末を利用したコンテンツ受信方法であって、
（ａ）前記コンテンツを送受信するための通信識別情報を含む接続要求メッセージの送受信に基づいて前記ＩＰネットワークを介して前記コンテンツ端末と接続の確立を行うステップと、
（ｂ）前記ステップ（ａ）により前記通信識別情報を含む接続要求メッセージの受信に基づいて前記コンテンツ端末との接続が確立したときにはサーバー・クライアントモデルにおけるクライアントとして機能して前記コンテンツ端末への前記コンテンツのリストの送信の要求を伴って前記コンテンツ端末から前記コンテンツのリストを受信し前記情報記憶手段へ記憶するステップと、
（ｃ）前記ステップ（ａ）により前記通信識別情報を含む接続要求メッセージの送信に基づいて前記コンテンツ端末との接続が確立したときにはサーバー・クライアントモデルにおけるサーバーとして機能して前記コンテンツ端末からの前記所定の情報要求に対して前記所定の倒置情報を含む応答を行うと共に該所定の倒置情報を含む応答を行ったときからサーバー・クライアントモデルにおけるクライアントとして機能して前記コンテンツのリストに含まれるコンテンツの前記コンテンツ端末への送信の要求を伴って前記コンテンツ端末から前記コンテンツを受信し、前記利用者に対応付けられた利用者識別情報が記憶された記憶媒体が前記装着手段に装着されており前記利用者により前記リストに含まれるコンテンツの親展送信が選択されたときには前記所定の倒置情報と該利用者の識別情報と該リストに含まれるコンテンツの親展送信要求とを同時又は別々に前記コンテンツ端末へ送信し該所定の倒置情報を含む応答を行ったときからサーバー・クライアントモデルにおけるクライアントとして機能し前記親展送信要求対象のコンテンツを前記コンテンツ端末から受信したときには該受信したコンテンツを前記装着されている記憶媒体へ記憶するステップと、
を含むものである。
【００１９】
このコンテンツ受信方法では、上述した受信側端末と同様に、利用者により親展送信が選択されたときには、利用者識別情報が記憶されている記憶媒体が装着されていることを条件として、コンテンツ端末へ利用者識別情報を送信してコンテンツ端末で利用者識別情報を照合可能とし、コンテンツを受信したときには、利用者の所持する記憶媒体へコンテンツを記憶するのである。したがって、ＩＰネットワークを介してコンテンツをより適正に親展受信して保存することができる。なお、このコンテンツ受信方法において、上述した受信側端末の種々の態様を採用してもよいし、また、上述した受信側端末の各機能を実現するようなステップを追加してもよい。
【００２０】
本発明のコンテンツ送信方法は、
利用者の情報と利用者の識別情報とを対応付けた利用者管理情報を格納した管理情報記憶手段、を備え、受信側端末とＩＰネットワークを介して利用者が利用するコンテンツを送信するコンテンツ端末を利用したコンテンツ送信方法であって、
（ｄ）前記コンテンツを送受信するための通信識別情報を含む接続要求メッセージの送受信に基づいて前記ＩＰネットワークを介して前記受信側端末と接続の確立を行うステップと、
（ｅ）前記ステップ（ｄ）により前記通信識別情報を含む接続要求メッセージの送信に基づいて前記受信側端末との接続が確立したときにはサーバー・クライアントモデルにおけるサーバーとして機能して前記受信側端末からの要求に応じて前記コンテンツのリストを前記受信側端末に送信するステップと、
（ｆ）前記ステップ（ｄ）により前記通信識別情報を含む接続要求メッセージの受信に基づいて前記受信側端末との接続が確立したときにはサーバー・クライアントモデルにおけるクライアントとして機能して前記受信側端末に所定の情報要求を行う一方で、該所定の情報要求に対する前記受信側端末からの応答に所定の倒置情報が含まれているときには該所定の倒置情報を認識したときからサーバー・クライアントモデルにおけるサーバーとして機能して前記受信側端末からの要求に応じて前記受信端末との通信を行い、前記受信側端末から前記所定の倒置情報と前記利用者の識別情報と前記リストに含まれるコンテンツの親展送信要求とを同時又は別々に受信すると該受信した利用者の識別情報と前記利用者管理情報に含まれている利用者の識別情報とを照合し、該利用者の識別情報が照合されたときには、サーバー・クライアントモデルにおけるクライアントとして機能して前記親展送信要求の対象であるコンテンツを前記受信側端末に送信するステップと、
を含むものである。
【００２１】
このコンテンツ送信方法では、上述したコンテンツ端末と同様に、親展送信要求されたときには、利用者識別情報を照合し、照合されたときにはコンテンツを受信側端末へ送信するため、、ＩＰネットワークを介してコンテンツをより適正に親展受信して保存することができる。なお、このコンテンツ送信方法において、上述したコンテンツ端末の種々の態様を採用してもよいし、また、上述したコンテンツ端末の各機能を実現するようなステップを追加してもよい。
【図面の簡単な説明】
【００２２】
【図１】実施形態のコンテンツ通信システム１０の一例を示す説明図。
【図２】ＨＤＤ２５に記憶されている情報の説明図。
【図３】コンテンツリストの送受信時の通信シーケンスを示す説明図。
【図４】ＩＮＶＩＴＥメッセージのＳＤＰの内容の一例を示す説明図。
【図５】２００ＯＫメッセージのＳＤＰの内容の一例を示す説明図。
【図６】リスト送受信時受信端末側処理を示すフローチャート。
【図７】リスト送受信時コンテンツ側処理を示すフローチャート。
【図８】コンテンツリストの送受信時のシーケンスを示す説明図。
【図９】シーケンス［１１］能力要求の内容の一例を示す説明図。
【図１０】シーケンス［１２］能力応答の内容の一例を示す説明図。
【図１１】シーケンス［１３］ページ情報要求の内容の一例を示す説明図。
【図１２】シーケンス［１４］ページ情報応答の内容の一例を示す説明図。
【図１３】シーケンス［１５］データ要求の内容の一例を示す説明図。
【図１４】シーケンス［１６］データ応答の内容の一例を示す説明図。
【図１５】シーケンス［１７］ページ情報応答の内容の一例を示す説明図。
【図１６】リスト情報３６ａの説明図。
【図１７】メモリーカード制御ルーチンの一例を示すフローチャート。
【図１８】コンテンツリスト表示画面６０の説明図。
【図１９】コンテンツの送受信時の通信シーケンスを示す説明図。
【図２０】コンテンツ送受信時受信端末側処理を示すフローチャート。
【図２１】コンテンツ送受信時コンテンツ側処理を示すフローチャート。
【図２２】コンテンツの送受信時のシーケンスを示す説明図。
【図２３】シーケンス［２１］能力要求の内容の一例を示す説明図。
【図２４】シーケンス［２２］能力応答の内容の一例を示す説明図。
【図２５】シーケンス［２３］ページ情報要求の内容の一例を示す説明図。
【図２６】シーケンス［２４］ページ情報応答の内容の一例を示す説明図。
【図２７】シーケンス［２５］データ要求の内容の一例を示す説明図。
【図２８】シーケンス［２６］データ応答の内容の一例を示す説明図。
【図２９】ＸＨＴＭＬ−Ｐｒｉｎｔドキュメントの一例を示す説明図。
【図３０】シーケンス［２７］データ要求の内容の一例を示す説明図。
【図３１】シーケンス［２８］データ応答の内容の一例を示す説明図。
【図３２】シーケンス［２９］ページ情報応答の内容の一例を示す説明図。
【図３３】シーケンス［２２］能力応答の他の内容の一例を示す説明図。
【発明を実施するための形態】
【００２３】
次に、本発明を実施するための一実施形態を図面を用いて説明する。図１は、本発明の一実施形態のコンテンツ端末としてのポスティング・サーバー２０と、受信側端末として機能するプリンター３０と、これらが接続されているＩＰ（Internet Protocol）ネットワーク１１とからなるコンテンツ通信システム１０の構成の一例を示す構成図である。また、図２は、ポスティング・サーバー２０のＨＤＤ２５に記憶されている情報の説明図である。図示するように、ポスティング・サーバー２０はＩＰネットワーク１１を構築するＳＩＰ（Session Initiation Protocol）プロキシー・サーバー１２に接続されており、プリンター３０は、ＳＩＰ（Session Initiation Protocol）プロキシー・サーバー１４に接続されている。
【００２４】
ＩＰネットワーク１１は、例えば、次世代ネットワーク（NGN （Next Generation Network））として構成されており、ＳＩＰプロキシー・サーバー１２，１４やロケーション・サーバー１６などにより構築されている。ＳＩＰプロキシー・サーバー１２，１４は、ＩＰメッセージの中継を行うだけでなく、ポスティング・サーバー２０やプリンター３０のユーザー・エージェント２３，３３の位置情報（例えば、ＵＲＩ（Uniform Resource Identifier）など）をロケーション・サーバー１６に登録するレジストラーの機能も有している。
【００２５】
ポスティング・サーバー２０は、サーバー全体を制御する制御部２２やセッション確立プロトコル（SIP（Session Initiation Protocol））のためのユーザー・エージェント（ＳＩＰＵＡ）２３、データを一時的に記憶するメモリー２４、コンテンツが格納されている位置情報やコンテンツのリストが格納されている位置情報などのコンテンツの情報が記憶されているＨＤＤ２５、ＩＰネットワーク１１と接続され外部機器との間で信号の送受信が可能なネットワークインターフェイス（Ｉ／Ｆ）２９などが実装されている。ＨＤＤ２５には、図２に示すように、利用者の情報と利用者の識別情報とを対応付けた利用者管理情報としてのＩＤ登録情報２５ａと、１以上のコンテンツの情報をリスト形式で含むコンテンツリストを複数格納したリスト情報２５ｂ、複数のコンテンツデータであるコンテンツ情報２５ｃなどが記憶されている。ＩＤ登録情報２５ａには、利用者の電話番号、登録ＩＤ、登録パスワード、登録氏名などが対応付けられて格納されている。このＩＤ登録情報２５ａでは、利用者の契約の際などに電話番号やパスワードを登録するものとした。リスト情報２５ｂやコンテンツ情報２５ｃは、ポスティング・サーバー２０の管理者が定期的又は不定期に更新するものとした。
【００２６】
プリンター３０は、スキャナーとしても機能すると共にプリンターとしても機能する複合装置として構成されており、装置全体を制御する制御部３２やセッション確立プロトコル（SIP（Session Initiation Protocol））のためのユーザー・エージェント（ＳＩＰＵＡ）３３、文字や画像データなどを印刷する印刷実行部３４、紙などの媒体の文字や画像などをスキャンして画像データとするスキャン実行部３５、コンテンツリストを含むリスト情報３６ａなど定期的に取得する情報を記憶消去可能であるフラッシュメモリー３６、メモリーカード３８がスロット３７ａに装着されたあとメモリーカード３８のメモリーにデータを書き込んだりメモリーカード３８のメモリーに記憶されたデータを読み込んだりするためのメモリーカードドライバー３７、ＩＰネットワーク１１と接続され外部機器との間で信号の送受信が可能なＩ／Ｆ３９、利用者へ情報を表示可能であり利用者の指示を入力可能である操作パネル４０などが実装されている。印刷実行部３４は、各色のインクに圧力をかけこの加圧されたインクを記録紙に吐出して印刷処理を実行するインクジェット方式の機構として構成されている。なお、インクへ圧力をかける機構は、圧電素子の変形によるものとしてもよいしヒーターの熱による気泡の発生によるものとしてもよい。スキャン実行部３５は、いわゆるラインイメージセンサーを走査して原稿を読み取るフラットベッド型のスキャナー機構として構成されている。操作パネル４０には、各種の指示に応じた文字や画像が表示される表示部４２や、利用者の指示を各種ボタンにより入力可能である操作部４４などが設けられている。メモリーカード３８は、詳しくは後述するが、ポスティング・サーバー２０からのコンテンツの親展受信を行うときに用いられ、ＩＤ登録情報２５ａに格納されている登録ＩＤ３８ａが記憶されている。
【００２７】
次に、コンテンツ通信システム１０の動作について説明する。図３は、ポスティング・サーバー２０からコンテンツのリストをプリンター３０に送信する際におけるセッション確立プロトコルによるポスティング・サーバー２０とプリンター３０との通信シーケンスを示す説明図である。以下、説明の便宜のため、ポスティング・サーバー２０を「コンテンツ端末２０」と称し、プリンター３０を「受信側端末３０」と称して説明を行う。ここでは、受信側端末３０の利用者がコンテンツ端末２０の管理者とコンテンツの親展通信を契約しており、コンテンツ端末２０のＩＤ登録情報２５ａに受信側端末３０の利用者のうちの１人が登録されているものとして説明する。また、コンテンツ端末２０から新たなコンテンツリストが送信される場合は、このコンテンツリストと共にＩＤ登録情報２５ａに登録されている送信先の利用者に対応するＩＤも送信されるものとして説明する。
【００２８】
ＳＩＰによるセッションの確立は、まず、コンテンツ端末２０から受信側端末３０に向けてのＩＮＶＩＴＥメッセージの送信から行われる。コンテンツ端末２０からのＩＮＶＩＴＥメッセージは、まず、ＳＩＰプロキシー・サーバー１２に送信される。ＳＩＰプロキシー・サーバー１２は、コンテンツ端末２０に処理中を意味する状態コードとしての「100Trying」を応答として送信すると共にＩＮＶＩＴＥメッセージに記述されている受信側端末３０のＵＲＩ（Uniform Resource Identifier）に基づいてこのＩＮＶＩＴＥメッセージをＳＩＰプロキシー・サーバー１４に送信する。ＳＩＰプロキシー・サーバー１４は、ＳＩＰプロキシー・サーバー１２に処理中を意味する状態コードとしての「100Trying」を応答として送信すると共にＩＮＶＩＴＥメッセージに記述されている受信側端末３０のＵＲＩ（Uniform Resource Identifier）に基づいてこのＩＮＶＩＴＥメッセージを受信側端末３０に送信する。受信側端末３０は、ＩＮＶＩＴＥメッセージの受信に伴って呼び出し中を意味する状態コードとしての「180Ringing」を応答として送信する。この「180Ringing」は、ＳＩＰプロキシー・サーバー１４，ＳＩＰプロキシー・サーバー１２を経由してコンテンツ端末２０に送信される。その後、受信側端末３０が受信したＩＮＶＩＴＥメッセージに対してセッションを確立するための呼び出しに対する成功を意味する状態コードとしての「200OK」を送信すると、この「200OK」がＳＩＰプロキシー・サーバー１４，ＳＩＰプロキシー・サーバー１２を介してコンテンツ端末２０に送信され、この「200OK」を受信したコンテンツ端末２０がＩＮＶＩＴＥメッセージに対する最終応答の受信確認として状態コードとしての「ACK」をＳＩＰプロキシー・サーバー１２，ＳＩＰプロキシー・サーバー１４を介して受信側端末３０に送信する。以上でコンテンツ端末２０と受信側端末３０との接続が確立し、コンテンツ端末２０から受信側端末３０にコンテンツのリストを送信することができるようになる。そして、コンテンツ端末２０によるコンテンツのリストの送信が終了すると、受信側端末３０からセッションを終了するための状態コードとしての「BYE」をＳＩＰプロキシー・サーバー１４，ＳＩＰプロキシー・サーバー１２を介してコンテンツ端末２０に送信し、これに対してコンテンツ端末２０から「200OK」をＳＩＰプロキシー・サーバー１２，ＳＩＰプロキシー・サーバー１４を介して受信側端末３０に送信することにより、セッションを終了する。なお、セッションの確立と終了とをＳＩＰプロキシー・サーバー１２，ＳＩＰプロキシー・サーバー１４を介して行うことにより、ＳＩＰプロキシー・サーバー１２およびＳＩＰプロキシー・サーバー１４を管理する管理者は、コンテンツ端末２０と受信側端末３０とのセッションの確立の日時およびセッションの終了の日時を取得してコンテンツ端末２０や受信側端末３０へのセッションの確立に対するサービスの対価（課金）を計算することができる。
【００２９】
図４は実施形態のコンテンツ端末２０から送信するＩＮＶＩＴＥメッセージにおけるＳＤＰ（Session Description Protocol）の内容の一例であり、図５は実施形態の受信側端末３０から送信する「200OK」のメッセージにおけるＳＤＰの内容の一例である。図４および図５のＳＤＰはメディア記述部を構成している。ＳＤＰでは、「m=」行はメディア種類やトランスポートアドレスの情報を示す。図４の「m=」行では、「TCP（Transmission Control Protocol）」を用いてペイロードタイプ「newprint1」で規定されているアプリケーション（application）をポート番号「8080」で扱うことを意味しており、図５の「m=」行では、「TCP」を用いてペイロードタイプ「newprint1」で規定されているアプリケーション（application）をポート番号「3180」で扱うことを意味している。ここで、「m=」行における通信識別情報としての「newprint1」の記述は、実施形態では、コンテンツデータの送受信を含むことを識別するものとしても機能しており、この「newprint1」の記述により、コンテンツ端末２０がサーバー・クライアントモデルにおけるサーバーとして機能し、受信側端末３０がサーバー・クライアントモデルにおけるクライアントとして機能するものとしている。このことは、図４の「a=setup:passive」からポスティング・サーバー２０が「受動側」（サーバー）として機能し、図５の「a=setup:active」から受信側端末３０が「能動側」（クライアント）として機能することからも解る。ＳＤＰでは、「C=」行はセッションに含まれるメディアのアドレスを示す。図４の「C=」行では、「IN IP4 xxx.xxx.xxx.xxx」と記述することによりコンテンツ端末２０のＩＰアドレスが「xxx.xxx.xxx.xxx」であることが解る。また、図４の最終行の「a=」行の「newprint/capability.xml」の記述は、セッションが確立した後の最初の受信側端末３０からの要求先のＵＲＬ（Uniform Resource Locator）である。この記述により、サーバー・クライアントモデルにおけるクライアントとして機能する受信側端末３０が最初にコンテンツ端末２０に対して要求する能力要求のＵＲＬを取得することができる。
【００３０】
図６はコンテンツ端末２０から受信側端末３０にコンテンツのリストを送信する際に受信側端末３０により実行されるリスト送受信時受信端末側処理の一例を示すフローチャートであり、図７はコンテンツ端末２０から受信側端末３０にコンテンツのリストを送信する際にコンテンツ端末２０により実行されるリスト送受信時コンテンツ側処理の一例を示すフローチャートであり、図８はコンテンツ端末２０から受信側端末３０にコンテンツのリストを送信する際のシーケンスの一例を示す説明図である。説明の都合上、図８のシーケンスを中心に必要に応じて図６のリスト送受信時受信側端末側処理および図７のリスト送受信時コンテンツ側処理を用いてコンテンツのリストの送受信について説明する。なお、上述したように、コンテンツのリストの送受信を行うためにセッションが確立されたときには、コンテンツ端末２０がサーバー・クライアントモデルにおけるサーバーとして機能し、受信側端末３０がサーバー・クライアントモデルにおけるクライアントとして機能するから、コンテンツ端末２０は受信側端末３０からの要求待ちとなる。
【００３１】
セッションが確立すると、受信側端末３０からコンテンツ端末２０に能力要求メッセージを送信することにより能力要求が行われ（図６のステップＳ１００，図７のステップＳ３００）、この能力要求に対してコンテンツ端末２０から受信側端末３０に能力応答メッセージを送信することにより能力応答を行う（図７のステップＳ３１０，図６のステップＳ１１０）。能力要求メッセージの一例を図９に示す。能力要求メッセージの０１行は「要求」を示すコマンドであり、０２行はＩＮＶＩＴＥメッセージから得られるコンテンツ端末２０のＩＰアドレスであり、０３行はＸＭＬのテキストを受け付ける意である。能力応答メッセージの一例を図１０に示す。能力応答メッセージの０１行は要求に対して成功を意味する「200OK」であり、０２行は内容の種別がＸＭＬのテキストであることを意味する。そして、コンテンツ端末２０の能力としては、ドキュメントフォーマット（０９行の「DocumentFormat」）がコンテンツリスト（１１行の「application/epson-contentslist-xml」）であることが解る。そして、この能力応答メッセージの１７行には、次に受信側端末３０からページ情報要求する際のＵＲＬ（１７行の「advertisement/contentlist/capability1.xml」）が記述されている。このＵＲＬは、ＩＮＶＩＴＥメッセージにおけるＳＤＰで記述したコンテンツ端末２０のＩＰアドレス「xxx.xxx.xxx.xxx」（図９では０２行の「HOST:xxx.xxx.xxx.xxx」）からの相対アドレスとなっている。受信側端末３０は、コンテンツ端末２０からの能力応答メッセージを受信すると、能力応答メッセージからコンテンツ端末２０の能力を取得すると共にコンテンツのリストの最初のページ情報が記述されているＵＲＬ（１７行の「advertisement/contentlist/capability1.xml」）を取得する（図６のステップＳ１２０）。
【００３２】
次に、受信側端末３０からコンテンツ端末２０に取得したＵＲＬ（図１０の能力応答メッセージの１７行の「advertisement/contentlist/capability1.xml」）を用いてページ情報要求メッセージを送信することによりページ情報要求が行われ（図６のステップＳ１３０，図７のステップＳ３２０）、このページ情報要求に対してコンテンツ端末２０から受信側端末３０にページ情報応答メッセージを送信することによりページ情報応答を行う（図７のステップＳ３３０，図６のステップＳ１４０）。ページ情報要求メッセージの一例を図１１に示す。ページ情報要求メッセージの０１行に記載された「advertisement/contentlist/capability1.xml」は図１０の能力応答メッセージの１７行の「advertisement/contentlist/capability1.xml」と同一であることが解る。ページ情報応答メッセージの一例を図１２に示す。ページ情報応答メッセージの０９行にはコンテンツのリストのＵＲＬ「advertisement/contentlist/contents_list.xml」が記述されており、１０行にはコンテンツのリストにおける次のページのＵＲＬ「advertisement/contentlist/capability2.xml」が記述されているのが解る。受信側端末３０は、コンテンツ端末２０からのページ情報応答メッセージを受信すると、このページ情報応答メッセージにコンテンツのリストのＵＲＬやコンテンツのリストにおける次のページのＵＲＬがあれば、これらのＵＲＬを取得する（図６のステップＳ１５０，Ｓ１６０）。
【００３３】
続いて、受信側端末３０からコンテンツ端末２０に取得したＵＲＬ（図１２のページ情報応答メッセージの０９行の「advertisement/contentlist/contents_list.xml」）を用いてデータ要求メッセージを送信することによりデータ要求が行われ（図６のステップＳ１７０，図７のステップＳ３５０）、このデータ要求に対してコンテンツ端末２０から受信側端末３０にデータ応答メッセージとデータとを送信することによりデータ応答を行う（図７のステップＳ３６０，図６のステップＳ１８０）。データ要求メッセージの一例を図１３に示す。データ要求メッセージの０１行に記載された「advertisement/contentlist/contents_list.xml」は図１２のページ情報応答メッセージの０９行の「advertisement/contentlist/contents_list.xml」と同一であることが解る。データ応答メッセージの一例を図１４に示す。データ応答メッセージの０８行の「0992682344」は、コンテンツ端末２０の識別情報（例えば、電話番号）を表わし、１０行の「Content ID=“0001”」と２０行の「Content ID=“0002”」は、コンテンツの識別番号を表わす。実施形態のコンテンツ端末２０では、それまでに複数のコンテンツが溜まっている場合には複数のコンテンツのリストを同時に送信する。また、このとき、コンテンツリストが親展通信に該当するものであるときには、送信先の利用者に対応する登録ＩＤも共に送信するものとした。図１４の例では、識別番号０００１と識別番号０００２の二つのコンテンツが溜まっているのが解る。また、図１４の例では、１１行の「advertisement/content0001/capability1.xml」と２１行の「advertisement/content002/capability1.xml」は、印刷コンテンツの識別番号０００１，０００２に対するコンテンツを取得するための能力情報のＵＲＬを表わしている。また、コンテンツの識別番号０００１，０００２について、１２行および２２行により用紙サイズがＡ４「iso_a4_210x297mm」であり、１３行および２３行によりメディアタイプが「stationery」であることが解る。さらに、コンテンツの識別番号０００１については、１４行によりコンテンツのタイトルが「エプソンカラノオシラセ」であり、コンテンツの識別番号０００２については、２４行によりコンテンツのタイトルが「ダイレクトカラノオシラセ」であることが解る。また、１６行〜１７行および２６行〜２７行は、コンテンツの識別番号０００１，０００２における受信側端末３０の表示部４２に表示するためのデータである。
【００３４】
コンテンツのリストの送受信が終了すると、受信側端末３０からコンテンツ端末２０へのページ情報要求に応じてコンテンツ端末２０からのページ情報応答により取得した次のページのＵＲＬ「advertisement/contentlist/capability2.xml」（図１２の１０行参照）を用いてコンテンツ端末２０にページ情報要求が行われ（図６のステップＳ１３０，図７のステップＳ３２０）、このページ情報要求に対してコンテンツ端末２０からページ情報応答が行われ（図７のステップＳ３３０，図６のステップＳ１４０）、コンテンツのリストのＵＲＬやコンテンツのリストにおける次のページのＵＲＬがあれば、更に、コンテンツのリストに対するデータ要求とデータ応答と行われる（図６のステップＳ１５０〜Ｓ１８０，図７のステップＳ３４０〜Ｓ３６０）。
【００３５】
コンテンツ端末２０からのページ情報応答メッセージにコンテンツのリストのＵＲＬも次のページのＵＲＬもない場合には、受信側端末３０は、コンテンツのリストの送信が終了したと判断し（図６のステップＳ１５０）、セッションを終了するために、コンテンツ端末２０に「BYE」（図３参照）を送信する。印刷コンテンツのリストの送信が終了したときに受信側端末３０からのページ情報要求に対してコンテンツ端末２０から送信されるページ情報応答メッセージの一例を図１５に示す。ページ情報応答メッセージの０９行の「none」および１０行の「none」からコンテンツのリストのＵＲＬも次のページのＵＲＬもないことが解る。「BYE」を受信したポスティング・サーバー２０は（図７のステップＳ３４０）、セッションを終了するために「200OK」を受信側端末３０に送信する。この「BYE」および「200OK」の送信については上述した。図１６は、フラッシュメモリー３６に記憶されるリスト情報３６ａの説明図である。上述したように、コンテンツ端末２０からコンテンツのリストが送られてくると、制御部３２は、フラッシュメモリー３６へ、受信したコンテンツリストをリスト情報３６ａに格納する処理を行う。コンテンツリストには、親展通信を行うものと行わないものとがあることから、登録ＩＤが付与されているもの、いないものが格納される。
【００３６】
次に、コンテンツリストから所望のコンテンツを取得する方法を説明する前に、メモリーカード３８に対する処理について説明する。例えば、受信側端末３０を複数の利用者が利用する場合、コンテンツを親展状態で受信したい場合がある。この受信側端末３０では、フラッシュメモリー３６に親展コンテンツを記憶させると他人にコンテンツの内容が知られてしまう可能性が生じる（親展性が低下する）ことから、特定の利用者が保管可能なメモリーカード３８にこの親展コンテンツを記憶させるものとしている。また、受信側端末３０に対しては１つの識別番号（例えばＮＧＮに対応する電話番号）が与えらていることから、複数の利用者が利用する際にはこの識別番号では利用者の特定までは困難である。ここでは、利用者がコンテンツ端末２０に対する登録及びメモリーカード３８に対する登録（登録ＩＤの記憶）を行うことにより、この登録ＩＤを利用して利用者を特定するものとしている。図１７は、メモリーカード制御ルーチンの一例を示すフローチャートである。このルーチンは、フラッシュメモリー３６に記憶され、スロット３７ａにメモリーカードが装着されたあと制御部３２により実行される。このルーチンが開始されると、メモリーカードに格納されている情報を読み出し、メモリーカードに対してどのような処理を行うかの図示しないメニュー表示を行う（ステップＳ４００）。このメモリーカードに対する処理には、例えば、親展コンテンツの受信処理や、親展通信用のフォーマット処理、格納されているデータの複製、削除、印刷処理などが含まれている。次に、制御部３２は、メモリーカードに登録ＩＤが格納済みであるか否かを判定し（ステップＳ４１０）、登録ＩＤが格納されているときには、制御部３２は、フラッシュメモリー３６に記憶されているリスト情報３６ａのうち、この登録ＩＤに対応するコンテンツリストを読み出す処理を行う（ステップＳ４２０）。ステップＳ４２０のあと、または、ステップＳ４１０で登録ＩＤが格納されていなかったときには、制御部３２は、例えば操作部４４の図示しない決定キーが押下されいずれかの処理が選択されるまで待機する（ステップＳ４３０）。処理選択されたときには、制御部３２は、フォーマット処理が選択されたか否かを判定し（ステップＳ４４０）、フォーマット処理が選択されていないときには、選択された処理を実行し（ステップＳ４５０）、このルーチンを終了する。一方、フォーマット処理が選択されたときには、制御部３２は、操作部４４の図示しないカーソルキーやキャンセルキー、決定キーなどの利用者によるキー操作によりＩＤが入力されたか否かを判定し（ステップＳ４６０）、ＩＤが入力されたときには、入力されたＩＤをメモリーカードに書き込む処理を含むフォーマット処理を実行し（ステップＳ４７０）、このルーチンを終了する。こうして、特定の利用者がメモリーカード３８を親展通信に利用可能な状態となる。
【００３７】
続いて、受信したコンテンツのリストのうち所望のコンテンツをコンテンツ端末２０から親展受信して受信側端末３０のメモリーカード３８に保存する際の動作について説明する。この処理は、メモリーカード制御ルーチンのステップＳ４３０で親展コンテンツの受信処理が選択されたあとステップＳ４５０で実行されるものとした。ここでは、印刷実行部３４で印刷可能な印刷コンテンツを親展コンテンツとして受信する処理について説明する。親展コンテンツの受信処理が選択されると、制御部３２は、ステップＳ４２０で読み出したメモリーカード３８に登録されている登録ＩＤ３８ａに対応するコンテンツリストを表示部４２へ表示する処理を行う。図１８は、コンテンツリスト表示画面６０の一例の説明図である。コンテンツリスト表示画面６０には、コンテンツを選択する際に利用されるカーソル６１と、コンテンツリストを表示するリスト表示領域６２とを含んでいる。ここでは、登録ＩＤに対応するコンテンツリストがリスト情報３６ａ（図１６参照）の中から検索され、検索されたコンテンツリスト名がリスト表示領域６２に表示されるものとした。このように、利用者に対応付けられたコンテンツリストが表示されるから、利用者はコンテンツリストを選択しやすい。次に、このリスト表示領域６２から特定のコンテンツが選択され、選択されたコンテンツを親展状態で受信する処理について説明する。
【００３８】
ここでは、まず、受信側端末３０からＩＮＶＩＴＥメッセージをＳＩＰプロキシー・サーバー１４およびＳＩＰプロキシー・サーバー１２を介してコンテンツ端末２０に送信し、このＩＮＶＩＴＥメッセージに対してコンテンツ端末２０から「180Ringing」や「200OK」をＳＩＰプロキシー・サーバー１２およびＳＩＰプロキシー・サーバー１４を介して受信側端末３０に送信することによりセッションが確立する。図１９にこの際の通信シーケンスを示す。受信側端末３０から送信するＩＮＶＩＴＥメッセージのＳＤＰの内容およびコンテンツ端末２０から送信する「200OK」のメッセージにおけるＳＤＰの内容は、「m=」行のポート番号や「c=」行のＩＰアドレスが異なる点を除いて図４に例示したＩＮＶＩＴＥメッセージのＳＤＰの内容と同様である。上述したように、ＩＮＶＩＴＥメッセージのＳＤＰの「m=」行に「newprint1」を記述することにより、ＩＮＶＩＴＥメッセージを送信した端末がサーバー・クライアントモデルにおけるサーバーとして機能し、「200OK」を送信した端末がサーバー・クライアントモデルにおけるクライアントとして機能するものとしているから、今回のセッションの確立では、受信側端末３０がサーバー・クライアントモデルにおけるサーバー（受動側）として機能し、コンテンツ端末２０がサーバー・クライアントモデルにおけるクライアント（能動側）として機能することになる。
【００３９】
図２０はコンテンツ端末２０から受信側端末３０にコンテンツを送信する際に受信側端末３０により実行されるコンテンツ送受信時受信側端末側処理の一例を示すフローチャートであり、図２１はコンテンツ端末２０から受信側端末３０にコンテンツを送信する際にコンテンツ端末２０により実行されるコンテンツ送受信時コンテンツ側処理の一例を示すフローチャートであり、図２２はコンテンツ端末２０から受信側端末３０にコンテンツを送信する際のシーケンスの一例を示す説明図である。説明の都合上、図２２のシーケンスを中心に必要に応じて図２０のコンテンツ送受信時受信側端末側処理および図２１のコンテンツ送受信時コンテンツ側処理を用いてコンテンツの送受信および印刷について説明する。なお、上述したように、コンテンツの送受信を行うためにセッションが確立したときには、受信側端末３０からＩＮＶＩＴＥメッセージを送信しているから、受信側端末３０がサーバー・クライアントモデルにおけるサーバーとして機能し、コンテンツ端末２０がサーバー・クライアントモデルにおけるクライアントとして機能するから、受信側端末３０はコンテンツ端末２０からの要求待ちとなる。
【００４０】
セッションが確立すると、まず、受信側端末３０の制御部３２は、スロット３７ａに登録ＩＤが格納されているメモリーカードが装着されているか否かを判定する（ステップＳ５００）。登録ＩＤが格納されているメモリーカードが装着されていないときには、制御部３２は、例えば、登録ＩＤが格納されているメモリーカードをスロット３７ａへ装着する旨のメッセージを表示部４２に表示するなどしてそのまま待機する。一方、登録ＩＤが格納されているメモリーカードが装着されているときには、制御部３２は、図示しないパスワードの入力画面を表示部４２に表示すると共に、パスワードが入力されたか否かを決定キーの押下などに基づいて判定する（ステップＳ５１０）。パスワードが入力されるまで待機する。ここで、パスワードは、コンテンツ端末２０への登録の際に利用者がＩＤ登録情報２５ａに登録したものであり、基本的には利用者のみが記憶しているものである。
【００４１】
受信側端末３０においてパスワードが入力されたあと、コンテンツ端末２０から受信側端末３０に能力要求メッセージを送信することにより能力要求が行われ（図２１のステップＳ７００，図２０のステップＳ５２０）、この能力要求に対して受信側端末３０からコンテンツ端末２０に能力応答メッセージを送信することにより能力応答を行う（図２０のステップＳ５３０，図２１のステップＳ７１０）。能力要求メッセージの一例を図２３に示す。図２３の能力要求メッセージは、図９の能力要求メッセージと同様である。能力応答メッセージの一例を図２４に示す。能力応答メッセージの０９行の「AfterGetMode」は、実施形態では、モードの切り替えを識別する情報（倒置情報）であり、その内容としてはサーバー・クライアントモデルにおけるサーバーとクライアントとを入れ替えるものと定義されており、それまでサーバーとして機能していた端末をクライアントとして機能させ、それまでクライアントとして機能していた端末をサーバーとして機能させるのである。したがって、この倒置情報としての「AfterGetMode」が記述された能力要求メッセージを送信することにより、これ以降、受信側端末３０はサーバー・クライアントモデルにおけるクライアントとして機能し、この能力要求メッセージを受信して倒置情報としての「AfterGetMode」を認識したときからコンテンツ端末２０はサーバー・クライアントモデルにおけるサーバーとして機能することになる。このため、コンテンツ端末２０は受信側端末３０からの要求待ちとなり、ＨＯＳＴとしてのＩＰアドレスもコンテンツ端末２０のＩＰアドレスが用いられることになる。
【００４２】
こうしてサーバーとクライアントとの入れ替えが行われると、クライアントとして機能する受信側端末３０からコンテンツのリストに含まれるＵＲＬ（図１２の０９行の「advertisement/content/capability1.xml」を用いてコンテンツ端末２０にページ情報要求メッセージを送信することによりページ情報要求が行われる（図２０のステップＳ５４０，図２１のステップＳ７２０）。ここでは、受信側端末３０からページ情報要求と共に、メモリーカード３８から読み出された登録ＩＤ３８ａ及び入力されたパスワードがコンテンツ端末２０へ送信されるものとした。また、登録ＩＤ３８ａがコンテンツの親展送信要求と兼ねているものとし、コンテンツ端末２０では、登録ＩＤ３８ａを受信すると、このページ情報要求がコンテンツの親展送信要求であるものと識別可能であるものとした。なお、登録ＩＤ３８ａ及びパスワードは、ページ情報要求内に格納するものとしてもよい。これを受けたコンテンツ端末２０では、制御部２２が受信した登録ＩＤ及びパスワードと、ＩＤ登録情報２５ａに格納されている登録ＩＤ及びパスワードとの照合を行う（ステップＳ７３０）。ここで、照合されなかったときは、制御部２２は、エラー応答を受信側端末３０へ送信し（ステップＳ７４０）、ステップＳ７００以降の処理を行う。一方、エラー応答を受けた受信側端末３０では、その旨のメッセージ表示を行い、ステップＳ５００以降の処理を行うものとした。このとき、能力要求及び能力応答の各ステップを省略することができる。
【００４３】
登録ＩＤ及びパスワードが照合されると、ステップＳ５４０でのページ情報要求に対してコンテンツ端末２０から受信側端末３０にページ情報応答メッセージを送信することによりページ情報応答を行う（図２１のステップＳ７５０，図２０のステップＳ５５０）。ページ情報要求メッセージの一例を図２５に示す。ページ情報要求メッセージの０１行に記載された「advertisement/content0001/capability1.xml」は図１４のコンテンツのリストを取得するデータ応答メッセージの１１行の「advertisement/content0001/capability1.xml」と同一であることが解る。ページ情報応答メッセージの一例を図２６に示す。ページ情報応答メッセージの０９行にはコンテンツとしてのドキュメントのＵＲＬ「advertisement/content0001/advertisement.xml」が記述されており、１０行には印刷コンテンツにおける次のコンテンツのＵＲＬ「advertisement/content0001/capability2.xml」が記述されているのが解る。受信側端末３０は、ポスティング・サーバー２０からのページ情報応答メッセージを受信すると、このページ情報応答メッセージにコンテンツのドキュメントのＵＲＬやコンテンツにおける次のページのＵＲＬがあれば、これらのＵＲＬを取得する（図２０のステップＳ５６０，Ｓ５７０）。
【００４４】
続いて、受信側端末３０からコンテンツ端末２０に取得したＵＲＬ（図２６のページ情報応答メッセージの０９行の「advertisement/content0001/advertisement.xml」）を用いてデータ要求メッセージを送信することによりデータ要求が行われ（図２０のステップＳ５８０，図２１のステップＳ７７０）、このデータ要求に対してコンテンツ端末２０から受信側端末３０にデータ応答メッセージとドキュメントのデータとを送信することによりデータ応答を行う（図２１のステップＳ７８０，図２０のステップＳ５９０）。データ要求メッセージの一例を図２７に示す。データ要求メッセージの０１行に記載された「advertisement/content0001/advertisement.xml」は図２６のページ情報応答メッセージの０９行の「advertisement/content0001/advertisement.xml」と同一であることが解る。データ要求メッセージの０１行から、要求するデータとしては、ドキュメントフォーマット「DocumentFormat」はXHTML-Print「application/xhtml-print-x」であり、メディアタイプ「MediaType」は「stationery」であることが解る。なお、「XHTML-Print」は、XHTML(Extensible HyperText Markup Language)を利用し受信側端末３０に対して固有に定義された印刷用のデータ形式であるものとした。データ応答メッセージの一例を図２８に示す。コンテンツ端末２０は、このデータ応答メッセージを送信すると共にコンテンツデータとしてXHTML-Printドキュメントを送信する。XHTML-Printドキュメントの一例を図２９に示す。この例では、画像データの位置情報は、５１行の「"epson.jpg"」に示されるＵＲＬである。画像データが複数の場合には、複数行に亘ってＵＲＬが記述される。なお、このＵＲＬも前述したように、コンテンツ端末２０のＩＰアドレスからの相対アドレスとなっている。
【００４５】
受信側端末３０は、送信されたXHTML-Printドキュメントを受信すると、受信したXHTML-Printドキュメントを走査して画像データの位置情報（図２９の５１行の「"epson.jpg"」で示されるＵＲＬ）を取得し、このＵＲＬを用いて画像データを取得するために、画像データの数だけデータ要求メッセージを送信することによりデータ要求を行い（図２０のステップＳ６００，図２１のステップＳ７９０）、このデータ要求に対して画像データの数だけコンテンツ端末２０から受信側端末３０にデータ応答メッセージと対応する画像データとを送信することによりデータ応答を行う（図２１のステップＳ８００，図２０のステップＳ６１０）。データ要求メッセージの一例を図３０に示す。データ要求メッセージの０１行に記載された「"epson.jpg"」は図２９のXHTML-Printドキュメントの５１行の「"epson.jpg"」と同一であることが解る。０３行の「Range」は、画像データのうち送受信するデータを指定するものであり、実施形態では「bytes=0-1023」と記述することにより、画像データの０バイトから１０２３バイトまでの１０２４バイトを指定している。この範囲は、受信側端末３０のメモリーの容量のうち受信用データに割り当てられた記憶容量の範囲内として設定すればよい。なお、受信側端末３０のメモリーに割り当てられた記憶容量が十分な場合には、０３行の「Range」を省略することもでき、この場合、画像データの全てを指定することになる。データ応答メッセージの一例を図３１に示す。データ応答メッセージの０４行の「Content-Length: 1024」からデータ長が１０２４バイトであることが解り、０５行の「Content-Range: bytes 0-1023/4096」から全データ量４０９６バイトのうち０バイトから１０２３バイトを送信することが解る。コンテンツ端末２０は、このデータ応答メッセージを送信すると共にデータ要求メッセージの０３行の「Range」に記述されたデータを受信側端末３０に送信する。そして、画像データの全ての受信が終了するまでデータ要求とデータ応答とを繰り返し実行する。
【００４６】
受信側端末３０は、こうして取得したXHTML-Printドキュメントと取得した画像データとを、メモリーカードドライバー３７を用いてメモリーカード３８の所定領域に保存する処理を行う（ステップＳ６２０）。そして、受信側端末３０から、コンテンツ端末２０へのページ情報要求に応じてコンテンツ端末２０からのページ情報応答により取得した次のページのＵＲＬ「advertisement/content0001/capability2.xml」（図２６の１０行参照）を用いてコンテンツ端末２０にページ情報要求を行い（図２０のステップＳ５４０，図２１のステップＳ７２０）、ページ情報応答メッセージにコンテンツデータのＵＲＬや次のコンテンツのＵＲＬがある限り、上述した図２０のステップＳ５４０〜Ｓ６２０の処理および図２１のステップＳ７２０〜Ｓ８００の処理、即ち、図２２のシーケンスの［２３］〜［２８］の処理を繰り返す。
【００４７】
コンテンツ端末２０からのページ情報応答メッセージにコンテンツデータのＵＲＬも次のページのＵＲＬもない場合には、受信側端末３０は、コンテンツの送信が終了したと判断し（図２０のステップＳ５６０）、セッションを終了するために、コンテンツ端末２０に「BYE」（図１９参照）を送信する。コンテンツの送信が終了したときに受信側端末３０からのページ情報要求に対してコンテンツ端末２０から送信されるページ情報応答メッセージの一例を図３２に示す。このページ情報応答メッセージでは、図１５のページ情報応答メッセージと同様に、０９行の「none」および１０行の「none」からコンテンツデータのＵＲＬも次のページのＵＲＬもないことが解る。「BYE」を受信したコンテンツ端末２０は（図２１のステップＳ７６０）、セッションを終了するために「200OK」を受信側端末３０に送信する。この「BYE」および「200OK」の送信については上述した。このように、親展コンテンツをＩＰネットワーク１１を介してコンテンツ端末２０から利用者の保管するメモリーカード３８に保存することができる。
【００４８】
ここで、本実施形態の構成要素と本発明の構成要素との対応関係を明らかにする。本実施形態のメモリーカード３８が本発明の携帯用の記憶媒体に相当し、スロット３７ａが装着手段に相当し、フラッシュメモリー３６が情報記憶手段に相当し、制御部３２、ＳＩＰＵＡ３３及びＩ／Ｆ３９が受信側接続確立実行手段に相当し、制御部３２及びＩ／Ｆ３９がリスト受信手段に相当し、制御部３２、メモリーカードドライバー３７及びＩ／Ｆ３９がコンテンツ受信記憶制御手段に相当し、表示部４２が表示手段に相当し、印刷実行部３４が印刷実行手段に相当する。また、ＨＤＤ２５が管理情報記憶手段に相当し、制御部２２、ＳＩＰＵＡ２３及びＩ／Ｆ２９がコンテンツ側接続確立実行手段に相当し、制御部２２及びＩ／Ｆ２９がリスト送信手段に相当し、制御部２２及びＩ／Ｆ２９がコンテンツ送信手段に相当する。また、登録指名や電話番号が利用者の情報に相当し、登録ＩＤが利用者の識別情報に相当し、ＩＤ登録情報２５ａが利用者管理情報に相当し、「newprint1」が通信識別情報に相当し、「AfterGetMode」が倒置情報に相当する。なお、本実施形態では、コンテンツ通信システム１０の動作を説明することにより本発明のコンテンツ送信方法及びコンテンツ受信方法の一例も明らかにしている。
【００４９】
以上説明した実施形態のコンテンツ通信システム１０によれば、セッションの確立を行う際のＩＮＶＩＴＥメッセージのＳＤＰの内容として「m=」行にコンテンツデータの送受信を含むことを識別するための「newprint1」が記述されたときには、ポスティング・サーバー２０がサーバー・クライアントモデルにおけるサーバーとして機能し、プリンター３０がサーバー・クライアントモデルにおけるクライアントとして機能するものとして、受信側端末３０からの要求に応じてコンテンツ端末２０からコンテンツのリストの送信を行うことにより、コンテンツのリストを受信側端末３０により適正に送信することができる。また、コンテンツのリストに含まれるコンテンツを受信側端末３０で受信するときには、受信側端末３０からＩＮＶＩＴＥメッセージを送信してセッションを確立するが、コンテンツ端末２０からの能力要求に対する能力応答に、それまでサーバーとして機能していた端末をクライアントとして機能させると共にそれまでクライアントとして機能していた端末をサーバーとして機能させるための倒置情報としての「AfterGetMode」を記述しておくことにより、コンテンツ端末２０をサーバー・クライアントモデルにおけるサーバーとして機能させると共に受信側端末３０をサーバー・クライアントモデルにおけるクライアントとして機能させて、コンテンツのリストに含まれるコンテンツの送受信および受信側端末３０によるコンテンツの保存を行うことができる。即ち、受信側端末３０の性能に応じてコンテンツの送受信を行って保存することができる。これらの結果、ＩＰネットワークを介してコンテンツのリストの送受信とこのリストに含まれるコンテンツのより適正な送受信を行うことができると共に受信したコンテンツを保存することができる。また、利用者により親展送信が選択されたときには、登録ＩＤ３８ａが記憶されているメモリーカード３８がスロット３７ａに装着されていることを条件として、ポスティング・サーバー２０へ登録ＩＤを送信してポスティング・サーバー２０で登録ＩＤを照合可能とし、コンテンツを受信したときには、利用者の所持するメモリーカード３８へコンテンツを記憶するのである。したがって、ＩＰネットワークを介してコンテンツをより適正に親展受信して保存することができる。
【００５０】
また、ＩＤ登録情報２５ａには、パスワードも対応付けて記憶されているため、パスワードの照合を利用して親展性をより高めることができる。更に、登録ＩＤ３８ａが記憶されたメモリーカード３８が装着されたときには、フラッシュメモリー３６に記憶されたコンテンツリストのうち、登録ＩＤ３８ａに対応するリストを検索し、この検索したリストを表示部４２へ表示するため、リストの選択がより容易であり親展によるコンテンツ取得を行いやすい。更にまた、コンテンツは、親展で受けとったあとに印刷することが多いため、本発明を適用する意義が高い。
【００５１】
なお、本発明は上述した実施形態に何ら限定されることはなく、本発明の技術的範囲に属する限り種々の態様で実施し得ることはいうまでもない。
【００５２】
例えば、上述した実施形態では、コンテンツのリストに含まれるコンテンツとしてのXHTML-Printドキュメントを受信すると共にXHTML-Printドキュメントに記述された画像データのＵＲＬを取得して親展コンテンツとしてメモリーカード３８に保存するものとしたが、コンテンツとしてXHTML-Printによるものの他、ドキュメントフォーマット「DocumentFormat」がtiff（Tagged Image File Format）であるコンテンツを受信して保存するものとしてもよい。また、印刷コンテンツに限られず、音楽コンテンツやビデオコンテンツとしてもよい。
【００５３】
上述した実施形態では、セッションの確立を行う際のＩＮＶＩＴＥメッセージのＳＤＰの内容として「m=」行にコンテンツデータの送受信を含むことを識別するための「newprint1」が記述されたときには、コンテンツ端末２０がサーバー・クライアントモデルにおけるサーバーとして機能し、受信側端末３０がサーバー・クライアントモデルにおけるクライアントとして機能するものとしたが、ＩＮＶＩＴＥメッセージにコンテンツデータの送受信を含むことを識別するための識別子が記述されればよいから、識別としては「newprint1」に限定されるものではなく、識別可能な如何なる記述であっても構わない。
【００５４】
上述した実施形態では、倒置情報として「AfterGetMode」の記述を用いるものとしたが、特にこれに限られず、サーバー・クライアントモデルにおけるクライアント及びサーバーとの関係が反転するよう識別可能なものであれば特にこれに限定されずに用いることができる。例えば、図３３に示すように、登録ＩＤ利用者の登録ＩＤをこの所定の倒置情報として用いるものとしてもよい。図３３は、シーケンス［２２］能力応答の他の内容の一例を示す説明図である。ここでは、登録ＩＤとしての「Confidential ID：・・・・・・」が倒置情報として用いられている。こうすれば、登録ＩＤが倒置情報を兼ねるから、処理をより簡素化することができる。
【００５５】
上述した実施形態では、ＩＤ登録情報２５ａにパスワードを登録しておき、親展コンテンツの親展通信を行うときには、このパスワードを利用者が入力し、ポスティング・サーバー２０で照合するものとしたが、このパスワードを省略してもよい。こうすれば、登録ＩＤ３８ａの照合により親展性を確保すると共に、処理の簡素化を図ることができる。なお、この場合は、利用者による登録ＩＤの管理とメモリーカード３８の保管が親展性の確保の上では重要となる。
【００５６】
上述した実施形態では、倒置情報としての「AfterGetMode」の送信後に、コンテンツの親展送信要求及び利用者の識別情報としての登録ＩＤ３８ａを送信するものとしたが、同じタイミングで送信するものとしてもよいし、倒置情報をあとに送信するものとしてもよい。また、上述した実施形態では、登録ＩＤ３８ａがコンテンツの親展送信要求及び利用者の識別情報を兼ねるものとしたが、特にこれに限定されず、コンテンツの親展送信要求を別に送信するものとしてもよい。
【００５７】
上述した実施形態では、コンテンツ端末２０から受信側端末３０へのリストの送信において、このリストに登録ＩＤを共に送信するものとしたが、これを省略してもよい。また、スロット３７ａに装着されたメモリーカード３８に記憶された登録ＩＤ３８ａに対応するコンテンツリストを制御部３２が検索し、検索したリストに絞って表示部４２に表示するものとしたが、これを省略してもよい。こうしても、ＩＰネットワークを介してコンテンツをより適正に親展受信して保存することができる。
【００５８】
上述した実施形態では、印刷実行部３４とスキャン実行部３５とを共に実装するものとしたが、印刷実行部３４とスキャン実行部３５とのうち一方だけを実装するものとしてもよいし、双方とも実装しないものとしても構わない。即ち、受信側端末３０をプリンターとして説明したが、メモリーカードドライバー３７及びスロット３７ａを備えるものとすれば、どのような電子機器としてもよい。例えば、スキャナーを備えたマルチファンクションプリンター、ＦＡＸなどの印刷装置や、パーソナルコンピューターでもよいし、その他、携帯電話、ゲーム機器などの電子機器などを受信側端末３０としてもよい。
【００５９】
上述した実施形態では、制御部３２が印刷実行部３４、スキャン実行部３５及びＩ／Ｆ２９を介した通信の制御を行うものとしたが、これを複数の制御部により分担して行うものとしてもよい。また、上述した実施形態では、印刷実行部３４は、インクジェット方式の印刷機構としたが、単一感光体方式と中間転写方式とを採用したフルカラーの電子写真方式を採用してもよい。また、印刷実行部３４は、カラー印刷する印刷機構であってもよいし、モノクロ印刷する印刷機構であってもよい。また、上述した実施形態では、スキャン実行部３５は、ラインイメージセンサーを走査して原稿を読み取るフラットベッド型のスキャナーとしたが、ラインイメージセンサーを固定し原稿を搬送してこの原稿上に形成された画像を読み取るタイプのスキャナーとしてもよい。
【００６０】
上述した実施形態では、コンテンツ通信システム１０として説明したが、コンテンツ端末２０が実行するデータ送信方法としてもよいし、受信側端末３０が実行するコンテンツ受信方法としてもよい。また、このコンテンツ送信方法、コンテンツ受信方法のプログラムとしてもよい。
【符号の説明】
【００６１】
１０  コンテンツ通信システム、１１  ＩＰネットワーク、１２，１４  ＳＩＰプロキシー・サーバー、１６  ロケーション・サーバー、２０  ポスティング・サーバー（コンテンツ端末）、２２，３２  制御部、２３，３３  ユーザー・エージェント（ＳＩＰＵＡ）、２４  メモリー、２５  ＨＤＤ、２５ａ  ＩＤ登録情報、２５ｂ  リスト情報、２５ｃ  コンテンツ情報、２９，３９  ネットワークインターフェイス（Ｉ／Ｆ）、
３０  プリンター（受信側端末）、３４  印刷実行部、３５  スキャン実行部、３６  フラッシュメモリー、３６ａ  リスト情報、３７  メモリーカードドライバー、３７ａ  スロット、３８  メモリーカード、３８ａ  登録ＩＤ、４０  操作パネル、４２  表示部、４４  操作部、６０  コンテンツリスト表示画面、６１  カーソル、６２  リスト表示領域。
【図１】
2010245617.tif 000003
【図２】
2010245617.tif 000004
【図３】
2010245617.tif 000005
【図４】
2010245617.tif 000006
【図５】
2010245617.tif 000007
【図６】
2010245617.tif 000008
【図７】
2010245617.tif 000009
【図８】
2010245617.tif 000010
【図９】
2010245617.tif 000011
【図１０】
2010245617.tif 000012
【図１１】
2010245617.tif 000013
【図１２】
2010245617.tif 000014
【図１３】
2010245617.tif 000015
【図１４】
2010245617.tif 000016
【図１５】
2010245617.tif 000017
【図１６】
2010245617.tif 000018
【図１７】
2010245617.tif 000019
【図１８】
2010245617.tif 000020
【図１９】
2010245617.tif 000021
【図２０】
2010245617.tif 000022
【図２１】
2010245617.tif 000023
【図２２】
2010245617.tif 000024
【図２３】
2010245617.tif 000025
【図２４】
2010245617.tif 000026
【図２５】
2010245617.tif 000027
【図２６】
2010245617.tif 000028
【図２７】
2010245617.tif 000029
【図２８】
2010245617.tif 000030
【図２９】
2010245617.tif 000031
【図３０】
2010245617.tif 000032
【図３１】
2010245617.tif 000033
【図３２】
2010245617.tif 000034
【図３３】
2010245617.tif 000035